(57)【要約】【課題】レンズ鏡筒との間の通信を確立されていないカメラボディに装着しても絞り機構を駆動制御することが可能なレンズ鏡筒などを提供すること。【解決手段】鏡筒１２に保持された光学系１１と、操作信号に応じて前記光学系に入射する入射光を絞る絞り機構（電磁絞り１６）と、前記絞り機構による絞り量を調整する調整部（絞り環１５）と、前記絞り機構による絞り量が前記調整部により調整された量になるように前記絞り機構に前記操作信号を供給する操作部（プレビュースイッチ１７、ＭＣＵ１８）と、を含む。【選択図】      図２
2008203435.tif 000002
【特許請求の範囲】
【請求項１】
鏡筒に保持された光学系と、
操作信号に応じて前記光学系に入射する入射光を絞る絞り機構と、
前記絞り機構による絞り量を調整する調整部と、
前記絞り機構による絞り量が前記調整部により調整された量になるように前記絞り機構に前記操作信号を供給する操作部と、を含むことを特徴とするレンズ鏡筒。
【請求項２】
請求項１に記載のレンズ鏡筒において、
前記調整部と前記操作部は一体化して前記鏡筒本体に装備されることを特徴とするレンズ鏡筒。
【請求項３】
請求項１又は２に記載のレンズ鏡筒において、
前記調整部は、前記鏡筒に回転可能に備えられた絞り環を含み、
前記操作部材は、前記絞り環に配置されることを特徴とするレンズ鏡筒。
【請求項４】
請求項１ないし３の何れか一項に記載のレンズ鏡筒において、
前記鏡筒に、前記調整部と前記光学機器本体に装備された機能選択部の何れかを優先的に切り替える優先切り替え部が装備されることを特徴とするレンズ鏡筒。
【請求項５】
請求項１ないし４の何れか一項に記載のレンズ鏡筒において、
前記レンズ鏡筒が装備される光学機器から供給される前記操作信号を入力するための入力部を含むことを特徴とするレンズ鏡筒。
【請求項６】
請求項１ないし５の何れか一項に記載のレンズ鏡筒において、
前記光学系の少なくとも一部は、前記レンズ鏡筒が取り付けられる撮像装置の撮像面に対する傾斜角度の変更、及び、前記撮像面に平行な方向への移動の少なくとも一方が可能であることを特徴とするレンズ鏡筒。
【請求項７】
請求項１ないし６の何れか一項に記載のレンズ鏡筒を備えたことを特徴とする光学装置。
【発明の詳細な説明】
【技術分野】
【０００１】
本発明は、レンズ鏡筒及びこのレンズ鏡筒を装備した電子スチルカメラなどの光学装置に関する。
【背景技術】
【０００２】
レンズ光学系の光軸を像面に対してシフト（撮像面に平行な方向への移動）やチルト（撮像面に対する傾斜角度の変更）させない、通常のレンズ鏡筒（ＰＣレンズ以外のレンズ鏡筒）の場合にあっては、例えば、絞り機構をレンズ鏡筒のカメラボディ側の端部に設置しておき、レンズ鏡筒をカメラボディに装着することにより、絞り機構をカメラボディと機械的に連動させて、カメラボディ側で絞り機構の絞り量（回転角度）を読み取り（認識し）、シャッタスピードを計算することが出来るようにしてある。
【０００３】
これに対し、ＰＣレンズは、そのレンズ鏡筒のカメラボディ側の端部にチルト・シフト機構が配置されていて、スペース的にこの部分に入射光量を調整する絞り機構を配置してカメラボディと機械的に連動（連結）させることが難しいことから、レンズ鏡筒のカメラボディ側の端部以外の箇所に電磁絞り機構を配置し、この電磁絞り機構を、カメラボディ側で測光した露出結果やユーザーが設定した絞り値などの情報に基づいて駆動するようにしてある（特許文献１参照）。
【０００４】
ＰＣレンズと組み合わされるカメラボディは、レンズ鏡筒とカメラボディとの間で単にカメラボディ側からレンズ鏡筒側の電磁絞り機構に駆動電源を供給するだけではなく、相互に信号のやり取りが出来るようになっていること（通信が確立していること）が必要である。
【０００５】
【特許文献１】特開平１０−３１９２９４号公報
【発明の開示】
【発明が解決しようとする課題】
【０００６】
しかし、ＰＣレンズを、ＰＣレンズとの間で通信が確立していないカメラボディに装着した場合には、たとえカメラボディ側から電磁絞り機構に電源供給があったとしても、カメラボディ側からの情報に基づいて電磁絞り機構を駆動制御することが出来ない。
【０００７】
すなわち、レンズ鏡筒に装備した絞り機構をカメラボディと機械的にさせることが難しいＰＣレンズなどの場合にあっては、通信が確立できる特定のカメラボディにしか装着出来ない問題がある。
【０００８】
本発明は、レンズ鏡筒との間の通信を確立されていないカメラボディに装着しても絞り機構を駆動制御することが可能なレンズ鏡筒及びこのレンズ鏡筒を装備した光学装置を提供することを目的とする。
【課題を解決するための手段】
【０００９】
上記目的を達成する本発明の請求項１に記載のレンズ鏡筒は、鏡筒に保持された光学系と、操作信号に応じて前記光学系に入射する入射光を絞る絞り機構と、前記絞り機構による絞り量を調整する調整部と、前記絞り機構による絞り量が前記調整部により調整された量になるように前記絞り機構に前記操作信号を供給する操作部と、を含むことを特徴とする。
【００１０】
本発明の請求項２に記載のレンズ鏡筒は、前記調整部と前記操作部が一体化して前記鏡筒本体に装備されることを特徴。
【００１１】
本発明の請求項３に記載のレンズ鏡筒は、前記調整部が、前記鏡筒に回転可能に備えられた絞り環を含み、前記操作部が、前記絞り環に配置されることを特徴とする。
【００１２】
本発明の請求項４に記載のレンズ鏡筒は、前記鏡筒に、前記調整部と前記光学機器本体に装備された機能選択部の何れかを優先的に切り替える優先切り替え部が装備されることを特徴とする。
【００１３】
本発明の請求項５に記載のレンズ鏡筒は、前記レンズ鏡筒が装備される光学機器から供給される前記操作信号を入力するための入力部を含むことを特徴とする。
【００１４】
本発明の請求項６に記載のレンズ鏡筒は、前記光学系の少なくとも一部が、前記レンズ鏡筒が取り付けられる撮像装置の撮像面に対する傾斜角度の変更（チルト）及び前記撮像面に平行な方向への移動（シフト）の少なくとも一方が可能であることを特徴とする。
【００１５】
本発明の請求項６に記載のレンズ鏡筒は、請求項１ないし５の何れか一項に記載のレンズ鏡筒を備えたことを特徴とする。
【発明の効果】
【００１６】
本発明によれば、レンズ鏡筒を、レンズ鏡筒との間の通信を確立されていないカメラボディに装着しても絞り機構を駆動制御することが可能である。
【発明を実施するための最良の形態】
【００１７】
以下本発明のレンズ鏡筒及びこのレンズ鏡筒を装備した光学装置の実施形態について図１〜図４を参照して説明する。
【００１８】
図１は本発明のレンズ鏡筒の一実施形態を示す斜視図、図２は図１のレンズ鏡筒を装備した光学装置としての一眼レフカメラ全体のブロック図である。
【００１９】
図１に示すように、レンズ鏡筒１０は、光学機器本体としてのカメラボディ２５（図２参照）側にある像面としてのＣＣＤ（不図示）に入射光を結像させる光学系１１を保持する鏡筒１２と、カメラボディ２５側に連結される鏡筒１２の端部に装備されたチルト機構１３及びシフト機構１４と、チルト機構１３寄りの鏡筒１２の外周面の箇所に装備されて入射光の絞り量を調整する調整部としての絞り環１５と、光学系１１への入射光を絞る絞り機構としての電磁絞り１６（図２参照）と、操作部としてのプレビュースイッチ１７及びマイクロコントロールユニット（ＭＣＵ）１８（図２参照）と、を具備する。
【００２０】
チルト機構１３は、鏡筒１２の一端部に固定され、鏡筒１２をカメラボディ２５に対してチルト（不図示の撮像装置の撮像面（ＣＣＤ）に対する傾斜角度を変更）するもので、チルト量を示す目盛部分１３ａと、鏡筒１２のチルト量を調整する操作ダイヤル１３ｂなどが装備される。
【００２１】
シフト機構１４は、チルト機構１３とカメラボディ２５との間に配置されて、鏡筒１２及びチルト機構１３をカメラボディ２５に対して図１の上下方向にシフト（不図示の撮像装置の撮像面（ＣＣＤ）に平行な方向へ移動）させるもので、シフト量を示す目盛部分１４ａと、鏡筒１２のシフト量を調整する操作ダイヤル１４ｂなどが装備される。
【００２２】
絞り環１５は鏡筒１２の外周面にみだりに回転しないようにある程度の摩擦抵抗を有して回転可能に装備される。この絞り環１５を回転操作して設定した絞り量は、鏡筒１２内部に配置したエンコーダ１９により読み取られる。エンコーダ１９は、読み取った絞り量をデジタル信号化して絞り値情報としてＭＣＵ１８に送る。
【００２３】
プレビュースイッチ１７は、鏡筒１２に装備されていて、操作者により押圧されてＯＮ状態になったとき、操作開始信号をＭＣＵ１８に送る。
【００２４】
ＭＣＵ１８は、エンコーダ１９から入力したデジタル化された絞り値情報をストアしておき、プレビュースイッチ１７から信号を入力したとき、電磁絞り１６に操作信号としての駆動信号を送る。
【００２５】
電磁絞り１６は、光学系１１を構成するレンズ群内に配置され、ＭＣＵ１８からの駆動信号により動作して光学系１１に入射する入射光量を絞る。
【００２６】
なお、図１中、符号２０は、絞り環１５と鏡筒１２の先端との間の鏡筒外周面の箇所に装備された距離環である。
【００２７】
カメラボディ２５には、図２に示すように、電源としてのバッテリ２６と、機能選択部としてのコマンドダイヤル２７と、このコマンドダイヤル２７などからの指令に基づいて絞りやシャッタスピードなどを制御するマイクロプロセッサ（ＣＰＵ）２８などが装備される。
【００２８】
組み合わされるカメラボディ２５がレンズ鏡筒１０側に装備した電磁絞り１６を駆動するように構成されていない場合、すなわち、レンズ鏡筒１０にバッテリ２６から電源供給をすることが出来るが、ＣＰＵ２８とＭＵＣ１８との間で通信が出来ない、電磁絞り対応システムのカメラボディ２５でない場合には、絞り環１５を回転操作して絞り値を設定すると、この絞り環１５で設定した絞り値がエンコーダ１９により読み取られてデジタル化され、エンコーダ１９からＭＵＣ１８に絞り値に連動（対応）したデジタル信号が供給される。そして、プレビュースイッチ１７を押すと、ＭＵＣ１８から電磁絞り１６に駆動信号が供給され、これにより電磁絞り１６が動作して設定した絞り値まで絞り込まれる。この状態でカメラボディ２５に装備したレリーズボタン（不図示）を押すと、所望の露出で撮影が可能となる。
【００２９】
本実施形態のレンズ鏡筒１０では、鏡筒１２に絞り環１５、電磁絞り１６、プレビュースイッチ１７、ＭＵＣ１８及びエンコーダ１９を装備して、レンズ鏡筒１０側のみで電磁絞り１６を駆動する電磁絞り対応システムを構築してあるので、カメラボディ２５が電磁絞り対応システムでない場合であっても何ら支障なく電磁絞り１６を所望の絞り値になるように駆動することが可能で、組み合わせるカメラボディ２５としては、レンズ鏡筒１０側に電源供給することが出来るものであれば、どのようなタイプのものであっても使用可能である。
【００３０】
図３は別の実施形態のレンズ鏡筒１０を示す、図２と同様のブロック図である。
【００３１】
なお、図３中、図２に示す部分と同一構成部分には同一符号を付してその説明を省略する。
【００３２】
本実施形態では、鏡筒１２のガメラボディ２５側の端部にＣＰＵ２８からの信号を入力するための入力部としての端子２１を装備して、レンズ鏡筒１０とカメラボディ２５との間で通信が行えるようにしてある。
【００３３】
また、鏡筒１２には優先切り替えスイッチ２２を装備し、この優先切り替えスイッチ２２から端子２１を介してＣＰＵ２８に優先切り替え信号が送られるようにして、絞り環１５とコマンドダイヤル２７の何れかを優先して使用することが出来るようにしてある。
【００３４】
本実施形態のように端子２１を介してレンズ鏡筒１０とカメラボディ２５との間で通信が可能になっている場合には、コマンドダイヤル２７により絞り値を設定すると、この絞り設定値信号がＣＰＵ２８に入力される。この状態でカメラボディ２５に装備したレリーズボタン（不図示）を押してレリーズすると、ＣＰＵ２８から端子２１を介してＭＣＵ１８に情報が供給され、そしてＭＵＣ１８から電磁絞り１６に駆動信号が供給されて、電磁絞り１６は設定した絞り値まで絞り込まれる。
【００３５】
また、コマンドダイヤル２７により自動露出モードに設定しておくと、レリーズボタンを押してレリーズすることにより、カメラボディ２５側で測光した露出結果からＣＰＵ２８により最適露光量が求められ、この最適露光量となるようにＣＰＵ２８から端子２１を介してＭＣＵ１８に情報が供給され、そしてＭＵＣ１８から電磁絞り１６に駆動信号が供給されて、電磁絞り１６は最適露光量となるように絞り込まれる。
【００３６】
さらに、優先切り替えスイッチ２２により絞り環１５を優先的に使用するように切り替えた場合には、絞り環１５を回転操作して絞り値を設定すると、上述の如く、絞り環１５で設定した絞り値になるように電磁絞り１６が絞り込まれる。すなわち、優先切り替えスイッチ２２により、コマンドダイヤル２７により設定した自動露出モードでの撮影と、絞り環１５をマニュアル操作しての撮影との切り替えが行える。
【００３７】
図４は更に別の実施形態のレンズ鏡筒１０を示す、図１と同様の斜視図である。
【００３８】
なお、図４中、図１に示す部分と同一構成部分には同一符号を付してその説明を省略する。
【００３９】
本実施形態では絞り環１５ａとプレビュースイッチ１７ａとを一体化してある。すなわち、絞り環１５ａ上に直接プレビュースイッチ１７ａを複数配置して、絞り環１５ａを回転操作した指でプレビュースイッチ１７ａを押圧操作出来るようにしてある。
【００４０】
なお、絞り環１５ａ上に配置されるプレビュースイッチ１７ａの個数は１個でもよい。要は絞り環１５ａを操作する指でプレビュースイッチ１７ａが押圧操作出来れば、プレビュースイッチ１７ａの個数については限定されるものではない。
【００４１】
本発明は上記各実施形態に示すものに限定されるものではない。
【００４２】
例えば、図１，図４に操作部としてのプレビュースイッチ１７を押しボタン型にした実施形態を示したが、これをリング状の圧力スイッチで構成してもよく、またスライド型のスイッチで構成してもよい。
【００４３】
また、調整部として鏡筒１２の外周面に回転可能に装備される絞り環１５を使用した実施形態を示したが、例えば絞りボタンと開放ボタンとにより構成して、絞り込むときには絞りボタンを押し、絞りを開放するときには開放ボタンを押して絞り量を調整するようにしてもよい。
【００４４】
また、絞り環１５の絞りの終端あるいは開放の終端の何れかの側に優先切り替えスイッチ２２を装備するようにしてもよい。例えば、絞り環１５を絞りの終端側あるいは開放の終端側まで回転させると、優先切り替えスイッチ２２が作動して自動露出モードに切り替わるように構成してもよい。
【図面の簡単な説明】
【００４５】
【図１】本発明のレンズ鏡筒の一実施形態を示す斜視図である。
【図２】図１のレンズ鏡筒を装備した光学装置としての一眼レフカメラ全体のブロック図である。
【図３】本発明の他の実施形態のレンズ鏡筒を装備した一眼レフカメラ全体のブロック図である。
【図４】本発明のレンズ鏡筒の更に他の実施形態を示す斜視図である。
【符号の説明】
【００４６】
１０            レンズ鏡筒
１１            光学系
１２            鏡筒
１３            チルト機構
１４            シフト機構
１５、１５ａ    絞り環（調整部）
１６            電磁絞り（絞り機構）
１７、１７ａ    プレビュースイッチ（操作部）
１８            ＭＣＵ（操作部）
２１            端子（入力部）
２２            優先切り替えスイッチ
２５            カメラボディ
【図１】
2008203435.tif 000003
【図２】
2008203435.tif 000004
【図３】
2008203435.tif 000005
【図４】
2008203435.tif 000006